(57)【要約】      （修正有）【課題】常時、定期、不定期に安否確認、通報及び状況別の対応が容易に迅速に確実にでき、呼びかけ送信と応答、又は通報及び対話で相互の信頼及び安心を築き一人暮らし、老人、家族その他の不安を解消する。【解決手段】安否確認場と管理センターと公及び民の対応者の拠点を設置し、通信ネットワークを介して相互確認し対応することで、双方向安否確認対応システムを確立すること。システム促進に必要な携帯電話に生体反応感知器及び機能を附加すること。及び大型や従来の機種の携帯及び使い勝手をよくする為に分離化することを特徴とする。【選択図】  図１
2007219803.tif 000002
【特許請求の範囲】
【請求項１】
人の安否を確認するシステムにおいて、常時又は定期的、不定期な管理センターからの呼びかけ送信に対して、受信応答機器で応答すること及び緊急時の通報機器による通報を基本システムとし、その他設置された位置確認機器、監視装置、感知器等からの安否情報も含めて、固定電話、携帯電話、コンピュータ等の通信機器及び通信ネットワークを介して常時又は定期的、不定期に管理センターのコンピュータ、管理処理ソフトで収集確認分析することと、管理センターからの信号、情報、状況別に対応する公及び民を設定し、救急車、現場急行、通信機器による対話等の対応をすることで、容易に迅速に確実にできる双方向安否確認対応システム
【発明の詳細な説明】
【技術分野】
【０００１】
本発明は、管理センターからの呼びかけ送信に対する受信応答機器での受信応答及び通報機器からの通報その他安否確認装置からの情報を各種通信機器及び通信ネットワークを介して管理センターに収集し、確認情報別の連絡及び対応を容易に迅速に確実にする双方向安否確認対応システムに関するものである。
【背景技術】
【０００２】
従来は、緊急電話又は生体反応感知器等での確認の一方通行であり、対応体制は主として救急車手配であった。
【０００３】
しかし、救急車と考えると本当の緊急時にしか使えず、呼びかける安否確認があるわけでなく一方的な通報又は管理は管理する側される側相互の信頼及び安心にかけるところが有り不安時の相談も出来ない。双方向安否確認、管理センター、対応する公及び民を網羅した体制は確立されておらず普及していない。
【特許文献１】特開２００５−２７５６４０広報
【発明の開示】
【発明が解決しようとする課題】
【０００４】
解決しようとする問題点は、常時、定期、不定期な呼びかけ確認応答、緊急時、不安時その他の通報、その他安否確認装置の情報収集と情報を分析し情報別に救急車、現場急行、通信機器による対話等の対応をする機器と通信ネットワークと拠点を利用して容易で迅速かつ確実な双方向安否確認対応システムを確立し、管理する側される側の相互信頼のもとでの安心生活を広く普及する点である。
【課題を解決するための手段】
【０００５】
本発明は、安否確認場に主として管理センターからの常時定期不定期な呼びかけ確認に対して受信応答する受信応答機器及び通報機器その他の各種安否確認装置とその情報を通報する警報機、各種通信機器。通信機器、通信ネットワークを介して常時定期不定期な呼びかけ確認及び緊急時不安時その他の通報その他安否確認装置の情報収集と情報を分析し情報別に支持連絡する通信機器、コンピュータ、管理処理ソフト等を備えた管理センター。管理センターから通信機器を介して出される指示に従い救急車、現場急行、通信機器による対話等の対応をする通信機器、端末コンピュータ等を備えた公及び民組織。の３拠点を設置することで容易で迅速かつ確実な双方向安否確認対応システムを確立し、相互信頼のもとでの安心生活を広く普及することを最も主要な特徴とする。
【発明の効果】
【０００６】
本発明の双方向安否確認対応システムは、常時、定期、不定期に安否確認、通報及び状況別の対応が容易に迅速に確実にでき呼びかけ送信と応答又は通報及び対話で相互の信頼及び安心を築き一人暮らし、老人、家族その他の不安を解消すると同時に広く普及する効果がある。
【０００７】
又、安否確認だけでなく各種相談毎及び世間話等にも使え各種問題の解決及びストレス解消効果もある。
【発明を実施するための最良の形態】
【０００８】
安否確認場に主として管理センターからの常時定期不定期な呼びかけ確認に対して受信応答する受信応答機器及び通報機器その他の各種安否確認装置とその情報を通報する警報機、各種通信機器。通信機器、通信ネットワークを介して常時定期不定期な呼びかけ確認及び緊急時不安時その他の通報その他安否確認装置の情報収集と情報を分析し情報別に支持連絡する通信機器、コンピュータ、管理処理ソフト等を備えた管理センター。管理センターから通信機器を介して出される指示に従い救急車、現場急行、通信機器による対話等の対応をする通信機器、端末コンピュータ等を備えた公及び民。の３拠点を設置することで対応する。
【実施例１】
【０００９】
図１は本発明の１実施例の見取り図である。安否確認場１の監視装置２、感知器３、通報機器４、管理センターコンピュータの管理及び処理ソフト１７からの呼びかけ送信に応答する受信応答機器５等各種安否確認装置からの安否情報６で緊急時は警報機７で警報し、固定電話８、携帯電話９、コンピュータ１０等の通信回線及びコンピュータネットワーク１１を介して常時１２又は定期１３及び不定期１４に管理センター１５の管理コンピュータ１６に集められ、管理及び処理ソフト１７によって情報別１８に対応設定された公１９、民２０、に連絡され、救急車２１、現場急行２２、通信機器対話２３等の対応がなされる。
【図面の簡単な説明】
【００１０】
【図１】双方向安否確認対応システムの実施方法を示した説明図である。（実施例１）
【符号の説明】
【００１１】
１    安否確認場
２    監視装置
３    感知機
４    通報機器
５    受信応答機器
６    安否情報
７    警報機
８    固定電話
９    携帯電話
１０  コンピュータ
１１  通信回線及びコンピュータネットワーク
１２  常時
１３  定期
１４  不定期
１５  管理センター
１６  管理コンピュータ
１７  管理及び処理ソフト
１８  情報別
１９  公
２０  民
２１  救急車
２２  現場急行
２３  通信機器対話
【図１】
2007219803.tif 000003
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
人の安否を確認するシステムにおいて、常時又は定期的、不定期な管理センターからの呼びかけ送信に対して、受信応答機器で応答すること及び緊急時の通報機器による通報を基本システムとし、その他設置された位置確認機器、監視装置、感知器等からの安否情報も含めて、携帯電話を主として、固定電話、コンピュータ等の通信機器及び通信ネットワークを介して常時又は定期的、不定期に管理センターのコンピュータ、管理処理ソフトで収集確認分析することと、管理センターからの信号、情報、状況別に対応する公及び民を設定し、救急車、現場急行、通信機器による対話等の対応をすることで、容易に迅速に確実にできる双方向安否確認対応システム
【請求項２】
請求項1の携帯電話において、体温、呼吸、呼吸音、脈拍等の生体反応を感知する感知器及び機能を附加することで携帯電話を所持する人の安否情報をより正確に把握できる生体感知携帯電話
【請求項３】
請求項１の携帯電話において、本体と送受話部を分離し、ブルートゥース機能で相互通信する大型や従来の機種の携帯及び使い勝手を良くする分離型携帯電話
【手続補正２】
【補正対象書類名】明細書
【補正対象項目名】全文
【補正方法】変更
【補正の内容】
【発明の詳細な説明】
【技術分野】
【０００１】
本発明は、管理センターからの呼びかけ送信に対する受信応答機器での受信応答及び通報機器からの通報その他安否確認装置からの情報を各種通信機器及び通信ネットワークを介して管理センターに収集し、確認情報別の連絡及び対応を容易に迅速に確実にする双方向安否確認対応システムと
【０００２】
システムにおいて利用される携帯電話に生体反応感知器及び機能を附加することで所持者の安否情報をより正確にすることと
【０００３】
各種機能の追加で大型や従来の機種の携帯及び使い勝手をよくする為の分離化に関するものである。
【背景技術】
【０００４】
従来は、緊急電話又は生体反応感知器等での確認の一方通行であり、対応体制は主として救急車手配であった。
【０００５】
連絡に使われる携帯電話には指紋認証、位置情報、緊急通報、カメラ、メール、通話装置等の機能があり
【０００６】
単体で利用されている。
【０００７】
しかし、救急車と考えると本当の緊急時にしか使えず、呼びかける安否確認があるわけでなく一方的な通報又は管理は管理する側される側相互の信頼及び安心にかけるところが有り不安時の相談も出来ない。双方向安否確認、管理センター、対応する公及び民を網羅した体制は確立されておらず普及していない。
【０００８】
又、従来の携帯電話では人体に係る犯罪の増加、不慮の事故、病気等の安否確認には不安が残る。
【０００９】
多機能で大型化が避けられず常時身に付けているには負担が大きく使い勝手も悪い。
【特許文献１】特開２００５−２７５６４０広報
【発明の開示】
【発明が解決しようとする課題】
【００１０】
解決しようとする問題点は、常時、定期、不定期な呼びかけ確認応答、緊急時、不安時その他の通報、その他安否確認装置の情報収集と情報を分析し情報別に救急車、現場急行、通信機器による対話等の対応をする機器と通信ネットワークと拠点を利用して容易で迅速かつ確実な双方向安否確認対応システムを確立し、管理する側される側の相互信頼のもとでの安心生活を広く普及する点であり
【００１１】
携帯電話での安否確認をより正確にすることと
【００１２】
大型や従来の機種の携帯電話を携帯しやすく又使い勝手をよくする点である。
【課題を解決するための手段】
【００１３】
本発明は、安否確認場と管理センターと公及び民の対応者の拠点を設置し通信ネットワークを介して相互確認し対応することで双方向安否確認対応システムを確立することと
【００１４】
システム促進に必要な携帯電話に生体反応感知器及び機能を附加すること
【００１５】
及び大型や従来の機種の携帯及び使い勝手をよくする為に分離化することを最も主要な特徴とする。
【発明の効果】
【００１６】
本発明の双方向安否確認対応システムは、常時、定期、不定期に安否確認、通報及び状況別の対応が容易に迅速に確実にでき呼びかけ送信と応答又は通報及び対話で相互の信頼及び安心を築き一人暮らし、老人、家族その他の不安を解消すると同時に広く普及する効果があり
【００１７】
生体認識携帯電話は所持者の安否確認をより正確にし
【００１８】
分離型携帯は携帯や使い勝手を良くする。
【００１９】
又、安否確認だけでなく各種相談毎及び世間話等にも使え各種問題の解決及びストレス解消効果もある。
【発明を実施するための最良の形態】
【００２０】
安否確認場に主として管理センターからの常時定期不定期な呼びかけ確認に対して受信応答する受信応答機器及び通報機器その他の各種安否確認装置とその情報を通報する警報機、主として携帯電話の各種通信機器。通信機器、通信ネットワークを介して常時定期不定期な呼びかけ確認及び緊急時不安時その他の通報その他安否確認装置の情報収集と情報を分析し情報別に支持連絡する通信機器、コンピュータ、管理処理ソフト等を備えた管理センター。管理センターから通信機器を介して出される指示に従い救急車、現場急行、通信機器による対話等の対応をする通信機器、端末コンピュータ等を備えた公及び民。の拠点を設置することと
【００２１】
携帯電話に、体温、呼吸、呼吸音、脈拍等の生体反応を感知する感知器及び機能を附加することで安否情報をより正確にし
【００２２】
大型化や携帯及び使い勝手を良くするには本体と送受話部を分離し、ブルートゥース機能で相互通信することで対応する。
【実施例１】
【００２３】
図１は本発明の１実施例の見取り図である。安否確認場１の監視装置２、感知器３、通報機器４、管理センターコンピュータの管理及び処理ソフト１７からの呼びかけ送信に応答する受信応答機器５等各種安否確認装置からの安否情報６で緊急時は警報機７で警報し、固定電話８、携帯電話９、コンピュータ１０等の通信回線及びコンピュータネットワーク１１を介して常時１２又は定期１３及び不定期１４に管理センター１５の管理コンピュータ１６に集められ、管理及び処理ソフト１７によって情報別１８に対応設定された公１９、民２０、に連絡され、救急車２１、現場急行２２、通信機器対話２３等の対応をする。
【００２４】
図２は本発明の１実施例の見取り図である。携帯電話本体２４又は分離型の場合は送受話器２５に体温感知器２６、呼吸感知器２７、脈拍感知器２８等を附加し、人体の腹部、腕、耳等に直接又は服の上から接触させることで、生体状態を感知し、内蔵されるバイブ又は表示機で所持者に告知又は他の電話に通報及び他の電話から確認できる。
【００２５】
分離型はブルートゥース機能２９を用いて携帯電話本体２４と送受話器２５を相互通信することで対応する。
【図面の簡単な説明】
【００２６】
【図１】双方向安否確認対応システムの実施方法を示した説明図である。（実施例１）
【図２】双方向安否確認対応システムの実施方法を示した説明図である。（実施例１）
【符号の説明】
【００２７】
１  安否確認場
２  監視装置
３  感知機
４  通報機器
５  受信応答機器
６  安否情報
７  警報機
８  固定電話
９  携帯電話
１０  コンピュータ
１１  通信回線及びコンピュータネットワーク
１２  常時
１３  定期
１４  不定期
１５  管理センター
１６  管理コンピュータ
１７  管理及び処理ソフト
１８  情報別
１９  公
２０  民
２１  救急車
２２  現場急行
２３  通信機器対話
２４  携帯電話本体
２５  送受話器
２６  体温感知器
２７  呼吸感知器
２８  脈拍感知器
２９  ブルートゥース機能
【手続補正３】
【補正対象書類名】図面
【補正対象項目名】図２
【補正方法】追加
【補正の内容】
【図２】
2007219803.tif 000004